(57)【要約】【課題】要介護者の支持や移動動作の安定性を一層高めることができると共に、要介護者の着用或いは要介護者への着用を短時間で簡単に行うことができる介護用着衣及び介護用具を提供する。【解決手段】腰部１１１と股下部１１２と脚通し穴１１４を有する本体１１０と、腰部１１１の両側にそれぞれ形成される前側穴１１５及び後側穴１１６と、前側穴１１５及び後側穴１１６に挿通され、前側穴１１５と後側穴１１６との間の腰部１１１の外側部分が把持部１２２となると共に、交差部分の重合部１２１が股下部１１２に配置して固定される略８字状の帯体１２０とを有し、帯体１２０を重合部１２１と把持部１２２との間で腰部１１１の内面に固定する介護用着衣。【選択図】図１
2009249781.tif 000002
【特許請求の範囲】
【請求項１】
腰部と股下部と脚通し穴を有する本体と、
前記腰部の両側にそれぞれ形成される前側穴及び後側穴と、
前記前側穴及び前記後側穴に挿通され、前記前側穴と前記後側穴との間の前記腰部の外側部分が把持部となると共に、交差部分の重合部が前記股下部に配置して固定される略８字状の帯体とを有し、
前記帯体を前記重合部と前記把持部との間で前記腰部内面に固定することを特徴とする介護用着衣。
【請求項２】
腰部と股下部と脚通し穴を有する内側本体と、
前記内側本体の外側に設けられる腰部を有する外側本体と、
前記内側本体の両側にそれぞれ形成される前側穴及び後側穴と、
前記内側本体の前側穴及び後側穴に対応する位置にそれぞれ形成される前記外側本体の前側穴及び後側穴と、
前記内側本体と前記外側本体の前側穴及び後側穴に挿通され、前記外側本体の前側穴と後側穴との間の腰部の外側部分が把持部となると共に、前記内側本体の交差部分の重合部が前記内側本体の股下部に配置して固定される略８字状の帯体とを有し、
前記帯体を前記重合部と前記把持部との間で前記内側本体の腰部内面に固定することを特徴とする介護用着衣。
【請求項３】
腰部と股下部と脚通し穴を有する本体と、
前記腰部の両側にそれぞれ形成される前側穴及び後側穴と、
前記股下部から前記本体の前面両側と両側の前記前側穴とを経て腰回りに導出される第１の帯体と、
前記股下部から前記本体の背面両側と両側の前記後側穴とを経て腹回りに導出される第２の帯体とを有し、
前記第１の帯体を前記股下部と前記本体の前面両側内面と前記本体の背面外面とに固定すると共に、
前記第２の帯体を前記股下部と前記本体の背面両側内面と前記本体の前面外面とに固定することを特徴とする介護用着衣。
【請求項４】
腰部と股下部と脚通し穴と脚通し部を有する本体と、
前記腰部の両側にそれぞれ形成される前側穴及び後側穴と、
前記腰部の少なくとも片側に形成される中間穴と、
前記前側穴及び前記後側穴に挿通され、前記前側穴と前記後側穴との間の前記腰部の外側部分が把持部となると共に、交差部分の重合部が前記股下部に配置して固定される略８字状の帯体と、
少なくとも一方の前記脚通し部内に略Ｕ字状に吊り下げるように設けられ、一端が前記中間穴から外側に導出されて前記把持部に固定され、他端が前記帯体に固定される別の帯体とを有し、
前記帯体を前記股下部の高さで略水平方向に配設して、前記重合部と前記把持部との間で前記腰部内面に固定することを特徴とする介護用着衣。
【請求項５】
請求項１、２又は４記載の介護用着衣と、
前記介護用着衣の両側の把持部にそれぞれ懸けられる略環状の補助帯とを有することを特徴とする介護用具。
【請求項６】
着座部と、
前記着座部の対向する位置にそれぞれ設けられる第１の把持部及び第２の把持部と、
前記着座部の底面に沿って設けられ、前記着座部に固定される略環状の第１の支持帯及び略環状の第２の支持帯とを備えることを特徴とする介護用具。
【発明の詳細な説明】
【技術分野】
【０００１】
本発明は、介護者による要介護者の移動や移動支援を容易化することができる介護用着衣及び介護用具に関する。
【背景技術】
【０００２】
介護者による要介護者の移動や移動支援を容易化するものとして特許文献１の介護用着衣がある。特許文献１の介護用着衣は、ズボン本体の腰部の両側にそれぞれ前側穴と後側穴を設けて計４箇所の穴を設け、８字状の帯体を前記４箇所の穴に挿通して、前記前側穴と前記後側穴との間の前記腰部の外側部分を把持部とすると共に、十字状に交差する交差部分の重合部をズボン本体内の股下部に配置し、前記重合部を前記股下部に縫合して固定するものである。
【０００３】
【特許文献１】特開２００２−２４９９０６号公報
【発明の開示】
【発明が解決しようとする課題】
【０００４】
ところで、上記特許文献１の介護用着衣は、８字状の帯体の重合部を股下部に配置して縫合することにより、ズボン本体のズレを防ぎ、前記重合部で要介護者の重心を安定して支えることが可能となり、要介護者の支持や移動動作の安定性を高めることができる。しかしながら、ズボン本体の脚通し部の入口に重合部から二股になった帯体の一部が垂れ下がり、前記二股の間に脚を通して脚通し部に脚を通す必要があることから、要介護者の着用或いは要介護者への着用に時間と手間がかかるという不具合がある。
【０００５】
本発明は上記不具合を解消するために提案するものであって、要介護者の支持や移動動作の安定性を一層高めることができると共に、要介護者の着用或いは要介護者への着用を短時間で簡単に行うことができる介護用着衣及び介護用具を提供することを目的とする。また、本発明の他の目的は、歩行の困難な要介護者を安定して迅速に移動することができる介護用具を提供することにある。
【課題を解決するための手段】
【０００６】
本発明の介護用着衣は、腰部と股下部と脚通し穴を有する本体と、前記腰部の両側にそれぞれ形成される前側穴及び後側穴と、前記前側穴及び前記後側穴に挿通され、前記前側穴と前記後側穴との間の前記腰部の外側部分が把持部となると共に、交差部分の重合部が前記股下部に配置して固定される略８字状の帯体とを有し、前記帯体を前記重合部と前記把持部との間で前記腰部内面に固定することを特徴とする。前記介護用着衣は、例えばズボン、パンツ等を包含する。
【０００７】
また、本発明の介護用着衣は、腰部と股下部と脚通し穴を有する内側本体と、前記内側本体の外側に設けられる腰部を有する外側本体と、前記内側本体の両側にそれぞれ形成される前側穴及び後側穴と、前記内側本体の前側穴及び後側穴に対応する位置にそれぞれ形成される前記外側本体の前側穴及び後側穴と、前記内側本体と前記外側本体の前側穴及び後側穴に挿通され、前記外側本体の前側穴と後側穴との間の腰部の外側部分が把持部となると共に、前記内側本体の交差部分の重合部が前記内側本体の股下部に配置して固定される略８字状の帯体とを有し、前記帯体を前記重合部と前記把持部との間で前記内側本体の腰部内面に固定することを特徴とする。前記介護用着衣は、例えば内側本体を下着或いはサポーターとし、外側本体をスカート本体とするスカート等を包含する。
【０００８】
また、本発明の介護用着衣は、腰部と股下部と脚通し穴を有する本体と、前記腰部の両側にそれぞれ形成される前側穴及び後側穴と、前記股下部から前記本体の前面両側と両側の前記前側穴とを経て腰回りに導出される第１の帯体と、前記股下部から前記本体の背面両側と両側の前記後側穴とを経て腹回りに導出される第２の帯体とを有し、前記第１の帯体を前記股下部と前記本体の前面両側内面と前記本体の背面外面とに固定すると共に、前記第２の帯体を前記股下部と前記本体の背面両側内面と前記本体の前面外面とに固定することを特徴とする。前記介護用着衣は、例えばズボン、パンツ等を包含する。
【０００９】
また、本発明の介護用着衣は、腰部と股下部と脚通し穴を有する内側本体と、前記内側本体の外側に設けられる腰部を有する外側本体と、前記内側本体の両側にそれぞれ形成される前側穴及び後側穴と、前記内側本体の前側穴及び後側穴に対応する位置にそれぞれ形成される前記外側本体の前側穴及び後側穴と、前記内側本体の股下部から前記内側本体の前面両側と前記内側本体の前側穴と前記外側本体の前側穴とを経て腰回りに導出される第１の帯体と、前記内側本体の股下部から前記内側本体の背面両側と前記内側本体の後側穴と前記外側本体の後側穴とを経て腹回りに導出される第２の帯体とを有し、前記第１の帯体を前記股下部と前記内側本体の前面両側内面と前記外側本体の背面外面とに固定すると共に、前記第２の帯体を前記股下部と前記内側本体の背面両側内面と前記外側本体の前面外面とに固定することを特徴とする。前記介護用着衣は、例えば内側本体を下着或いはサポーターとし、外側本体をスカート本体とするスカート等を包含する。
【００１０】
また、本発明の介護用着衣は、腰部と股下部と脚通し穴と脚通し部を有する本体と、前記腰部の両側にそれぞれ形成される前側穴及び後側穴と、前記腰部の少なくとも片側に形成される中間穴と、前記前側穴及び前記後側穴に挿通され、前記前側穴と前記後側穴との間の前記腰部の外側部分が把持部となると共に、交差部分の重合部が前記股下部に配置して固定される略８字状の帯体と、少なくとも一方の前記脚通し部内に略Ｕ字状に吊り下げるように設けられ、一端が前記中間穴から外側に導出されて前記把持部に固定され、他端が前記帯体に固定される別の帯体とを有し、前記帯体を前記股下部の高さで略水平方向に配設して、前記重合部と前記把持部との間で前記腰部内面に固定することを特徴とする。前記介護用着衣は、例えばズボン等を包含する。
【００１１】
また、本発明の介護用具は、本発明の介護用着衣と、前記介護用着衣の両側の把持部にそれぞれ懸けられる略環状の補助帯とを有することを特徴とする。
【００１２】
また、本発明の介護用具は、着座部と、前記着座部の対向する位置にそれぞれ設けられる第１の把持部及び第２の把持部と、前記着座部の底面に沿って設けられ、前記着座部に固定される略環状の第１の支持帯及び略環状の第２の支持帯とを備えることを特徴とする。
【発明の効果】
【００１３】
本発明では、略８字状の帯体を重合部と把持部との間で本体或いは内側本体の腰部内面に固定することにより、要介護者が脚通し穴に脚を通す際に脚通し穴に垂れ下がった帯体で邪魔されることが無くなるため、要介護者の介護用着衣の着用或いは要介護者への介護用着衣の着用を短時間で簡単に行うことができる。また、帯体が本体内或いは内側本体内で移動してずれることを防止でき、要介護者の良好な着用感を得ることができると共に、要介護者の支持や移動動作の安定性を一層高めることができる。また、要介護者の体重をバランス良く分散しながら重心を支え、要介護者の負担を軽減することができると共に、着衣の本体或いは内側本体にかかる負担を軽減することができる。また、内側本体と外側本体で構成することにより、スカート等の着用を希望する要介護者の希望に希望に沿うことができると共に、スカート等のような股下部が無い着衣の着用時にも介護負担を軽減することができる。
【００１４】
また、腰回りに導出される第１の帯体を股下部と本体或いは内側本体の前面両側内面等に固定し、腹回りに導出される第２の帯体を股下部と本体或いは内側本体の背面両側内面等とに固定することにより、リハビリ時等に於いて、要介護者が脚通し穴に脚を通す際に脚通し穴に垂れ下がった第１、第２の帯体で邪魔されることが無くなるため、要介護者の介護用着衣の着用或いは要介護者への介護用着衣の着用を短時間で簡単に行うことができる。また、第１の帯体が本体内或いは内側本体内で移動してずれることを防止でき、要介護者の良好な着用感を得ることができると共に、要介護者の支持や移動動作の安定性を一層高めることができる。また、要介護者の体重をバランス良く分散しながら重心を支え、要介護者の負担を軽減することができると共に、着衣の本体或いは内側本体にかかる負担を軽減することができる。また、内側本体と外側本体で構成することにより、スカート等の着用を希望する要介護者の希望に沿うことができると共に、スカート等のような股下部が無い着衣の着用時にも介護負担を軽減し、又、スカート等のような着衣を着用してのリハビリが可能となる。
【００１５】
また、略８字状の帯体を股下部の高さで略水平方向に配設し、重合部と把持部との間で腰部内面に固定すると共に、別の帯体を脚通し部内に略Ｕ字状に吊り下げ、その一端を中間穴から外側に導出して把持部に固定し、その他端を帯体に固定することにより、要介護者の股下と別の帯体で支持する足底とにかかる力を股下部と把持部とにバランス良く分散し、要介護者の股下に過大な荷重が負荷されることを防いで要介護者への負担を飛躍的に軽減することができる。また、要介護者が脚通し穴に脚を通す際に脚通し穴に垂れ下がった帯体で邪魔されることが無くなるため、要介護者の介護用着衣の着用或いは要介護者への介護用着衣の着用を短時間で簡単に行うことができる。また、帯体が本体内で移動してずれることを防止でき、要介護者の良好な着用感を得ることができると共に、要介護者の支持や移動動作の安定性を一層高めることができる。また、要介護者の体重をバランス良く分散しながら重心を支え、要介護者の負担を軽減することができると共に、着衣の本体にかかる負担を軽減することができる。
【００１６】
また、介護用着衣の両側の把持部に略環状の補助帯をそれぞれ懸けることにより、２人の介護者が要介護者を両側から支持する際の負担を飛躍的に軽減することができる。
【００１７】
また、着座部の対向する位置に第１の把持部及び第２の把持部を設け、着座部の底面に沿って設けられ、着座部に固定される略環状の第１、第２の支持帯を備える構成により、歩行の困難な要介護者を２人の介護者が両側から支持して移動する際に、高い安定性で迅速な移動を行うことが可能となる。
【発明を実施するための最良の形態】
【００１８】
本発明の介護用着衣及び介護用具の実施形態について図面に基づき説明する。尚、本明細書開示の発明には、各発明や各実施形態の構成の他に、これらの部分的な構成を他の実施形態など本明細書開示の他の構成に変更して特定したもの、或いはこれらの構成に他の実施形態の構成など本明細書開示の他の構成を付加して特定したもの、或いはこれらの部分的な構成を部分的な作用効果が得られる限度で削除して特定した上位概念化したものも含まれる。
【００１９】
〔第１実施形態〕
第１実施形態の介護用着衣１００は、図１及び図２に示すように、ズボンの介護用着衣１００であり、本体１１０と、本体１１０内に設けられる略８字状の帯体１２０とを備える。ズボンの本体１１０は、腰部１１１と、股下部１１２と、股下部１１２から左右に分かれ、脚通し穴１１４を入口とする脚通し部１１３とを有し、腰部１１１の両側の上部にはそれぞれ前側穴１１５と、後側穴１１６とが形成され、計４箇所の穴が形成されている。
【００２０】
略８字状の帯体１２０は、略十字状の交差部分の重なり領域である重合部１２１が本体１１０の股下部１１２に於ける要介護者の背骨の真下付近に対応する位置に配置され、重合部１２１が股下部１１２に縫合して固定されている。重合部１２１の両側に位置する帯体１２０の輪状部分はそれぞれ前側穴１１５と後側穴１１６に挿通され、前側穴１１５と後側穴１１６との間の腰部１１１の外側部分が把持部１２２となっており、把持部１２２は本体１１０の外側で若干余裕を有する程度の長さとされている。帯体１２０の重合部１２１と把持部１２２との間の部分は、股下部１１２から前側穴１１５及び後側穴１１６に向かって腰部１１１の内面に沿うように略Ｖ字状に配置され、前記内面に沿った領域の略全体に亘って本体１１０の腰部１１１の内面に例えば帯体１２０の幅方向両側近傍等を縫合して固定されている。帯体１２０は、人間一人の荷重を支えられ且つ伸縮可能な素材で形成する、例えば４０ｋｇ以上１００ｋｇ以下の人間の荷重を支えられ、且つ前記荷重を支えたときに０ｃｍ超３０ｃｍ以下で伸縮する素材とすると、本体１１０の外周に把持部１２２を沿わせて見栄えを向上することができて好適である。
【００２１】
上記ズボンの介護用着衣１００を使用する場合、要介護者に予め着用してもらう。着用時には、脚通し穴１１４から脚通し部１１３に脚を通す際に、脚通し穴１１４に帯体１２０が垂れ下がっていないことから、図１２に示すように、帯体が縫合していない介護用着衣と比較して非常に短時間で簡単に着用することができる。そして、要介護者の移動或いは移動支援の際には、一対の把持部１２２・１２２を介護者１が両手で保持して持ち上げ、要介護者２の体重を股下部１２２の重合部１２１を中心に支えて移動する。移動時には、帯体１２０が本体１１０内で移動してずれることを防止できるので、要介護者２の良好な着用感を得ることができると共に、支持や移動動作の安定性を一層高めることができる。また、要介護者２の体重をバランス良く分散しながら重心を支え、要介護者２の負担を軽減することができると共に、介護用着衣１００の本体１１０にかかる負担を軽減することができる。
【００２２】
尚、上記ズボンの介護用着衣１００に対して脚通し部１１３が短い或いは無い構成とし、半ズボンやパンツ等の下着の介護用着衣とすることも可能であり、これらの介護用着衣１００もズボンの介護用着衣１００とほぼ同様に使用することが可能である。
【００２３】
また、介護用着衣１００は、図３に示すように、両側の把持部１２２に環状の補助帯１３０をそれぞれ懸けて用いる介護用具としても使用することができる。各補助帯１３０は、帯本体１３１を環状に丸めてＤカン、バックル等の長さ調整具１３２で留めたものであり、長さ調整具１３２の先には余剰部１３３が設けられる。補助帯１３０を使用する際には、要介護者が介護用着衣１００を着用した状態で、一方側の把持部１２２に懸け回された補助帯１３０は他方側に位置する介護者の外側の肩に懸けられ、他方側の把持部１２２に懸け回された補助帯１３０は一方側に位置する介護者の外側の肩に懸けられる。そして、各介護者が自分側に位置する把持部１２２と余剰部１３３を保持することで、要介護者の支持を行う。補助帯１３０を用いることにより、２人の介護者が要介護者を両側から支持する際の負担を飛躍的に軽減することができる。
【００２４】
〔第２実施形態〕
第２実施形態の介護用着衣２００は、図４及び図５に示すように、スカートの介護用着衣２００であり、下着となる内側本体２１０と、内側本体２１０内に設けられる略８字状の帯体２２０と、内側本体２１０の外側に設けられる外側本体に相当するスカート本体２３０とを備える。内側本体２１０は、腰部２１１と、股下部２１２と、股下部２１２から左右に分かれ、脚通し穴２１４を入口とする脚通し部２１３とを有し、腰部２１１の両側の上部にそれぞれ前側穴２１５と後側穴２１６とが形成され、計４箇所の穴が形成されている。スカート本体２３０は要介護者の腰の周辺に設けられる腰部２３１を有し、内側本体２１０の前側穴２１５と後側穴２１６に対応する位置に於ける腰部２３１には、前側穴２３２と後側穴２３３とがそれぞれ形成されている。
【００２５】
略８字状の帯体２２０は、略十字状の交差部分の重なり領域である重合部２２１が内側本体２１０の股下部２１２に於ける要介護者の背骨の真下付近に対応する位置に配置され、重合部２２１が股下部２１２に縫合して固定されている。重合部２２１の両側に位置する帯体２２０の輪状部分は、内側本体２１０の前側穴２１５及びスカート本体２３０の前側穴２３２と、内側本体２１０の後側穴２１６及びスカート本体２３０の後側穴２３３とに、それぞれ連通されている。スカート本体２３０の前側穴２３２と後側穴２３３との間の腰部２３１の外側部分は把持部２２２となっており、把持部２２２はスカート本体２３０の外側で若干余裕を有する程度の長さとされている。帯体２２０の重合部２２１と把持部２２２との間の部分は、股下部２１２から前側穴２１５、２３２及び後側穴２１６、２３３に向かって略Ｖ字状に配置され、内側本体２１０の腰部２１１の内面に例えば帯体２２０の幅方向両側近傍等を縫合して固定されている。帯体２２０の素材は第１実施形態と同様である。
【００２６】
上記スカートの介護用着衣２００を使用する場合には、第１実施形態と同様に使用し、スカートの介護用着衣２００でズボンの介護用着衣１００と同様の作用効果を得ることができる。また、第２実施形態の介護用着衣２００も、第１実施形態の介護用着衣１００と同様に、略輪状の補助帯１３０を両側の把持部２２２にそれぞれ懸け回した介護用具として用いることもできる。
【００２７】
〔第３実施形態〕
第３実施形態の介護用着衣３００は、図６及び図７に示すように、主としてリハビリ用のズボンの介護用着衣３００であり、本体３１０と、本体３１０内に設けられる第１の帯体３２０、第２の帯体３３０とを備える。ズボンの本体３１０は、腰部３１１と、股下部３１２と、股下部３１２から左右に分かれる脚通し部３１３とを有し、腰部３１１の両側の上部にはそれぞれ前側穴３１４と、後側穴３１５とが形成され、計４箇所の穴が形成されている。
【００２８】
第１の帯体３２０は略環状であり、股下部３１２の要介護者の背骨の真下付近に対応する位置にその一部が配置され、股下部３１２に縫合して固定されている。第１の帯体３２０は、股下部３１２から本体３１０の腰部３１１の前面両側に略Ｖ字状に沿うようにして配置され、前記沿った領域の略全体に亘って前記前面両側に縫合により固定されており、更に、両側の前側穴３１４を挿通されて要介護者の腰回りに導出されている。前記腰回りに導出された第１の帯体３２０は、本体３１０の腰部３１１の背面外面の複数箇所、本例では中央と左右両側の３箇所の縫合部３２１で縫合して固定されている。縫合部３２１・３２１間の第１の帯体３２０は介護者が把持する把持部３２２となる。第１の帯体３２０の素材は第１実施形態の帯体１２０と同様である。
【００２９】
第２の帯体３３０はバックル３３３で連結されている略環状であり、股下部３１２にその一部が配置され、第１の帯体３２０と重なるようにして股下部３１２に縫合して固定されている。第２の帯体３３０は、股下部３１２から本体３１０の腰部３１１の背面両側に略Ｖ字状に沿うようにして配置され、前記沿った領域の略全体に亘って前記背面両側に縫合により固定されており、更に、両側の後側穴３１５を挿通されて要介護者の腹回りに導出されている。前記腹回りに導出された第２の帯体３３０は、本体３１０の腰部３１１の前面外面の複数箇所、本例では左右に２箇所ずつの縫合部３３１で縫合して固定されている。縫合部３３１・３３１間の第２の帯体３３０は介護者が把持する把持部３３２となる。そして、腰部３１１の前面外面の中央位置には第２の帯体３３０のバックル３３３が位置し、バックル３３３で第２の帯体３３０が着脱可能に連結されている。第２の帯体３３０の素材は第１実施形態の帯体１２０と同様である。
【００３０】
尚、前記構成に代え、例えばバックル３３３に近い位置の左右の縫合部３３１を設けずに、要介護者の腹回りに合わせてバックル３３３で第２の帯体３３３の長さを相当程度調整可能にしてもよい。また、第１の帯体３２０をスリット状の前側穴３１４の内側近傍で本体３１０に前記スリットの長手方向に縫合し、第２の帯体３３０をスリット状の後側穴３１５の内側近傍で本体３１０に前記スリットの長手方向に縫合するようにすると、第１の帯体３２０、第２の帯体３３０、前側穴３１４、後側穴３１５の耐久性や安定性を向上できて好適であるが、前記前側穴３１４、後側穴３１５の内側近傍を縫合しない構成とすることも可能である。また、バックル３３３に代えてＤカン等の留め具を用いてもよく、前記留め具は第２の帯体３３０の止め位置を調整可能なものとすることが好ましい。
【００３１】
上記ズボンの介護用着衣３００を使用する場合、要介護者に予め着用してもらい、要介護者は歩行動作等のリハビリテーションを行う。前記リハビリテーションの際に、介護者は要介護者が前方に倒れそうになった時に第１の帯体３２０を把持して支え、後方に倒れそうになった時に第２の帯体３３０を把持して支えることができる。前記介護者による支持では、第１の帯体３２０と第２の帯体３３０の重なり部分で本体３１０に固定されている部分が背骨の真下付近に対応する位置にあるので、要介護者をしっかりと支持することができる。更に、第１実施形態と同様の作用効果を得ることができる。
【００３２】
尚、第２実施形態のように上記介護用着衣３００をスカート形に変形することも可能である。この場合には、例えば短パン形の内側本体について上記と同様に第１、第２の帯体を設け、更に、前記内側本体の前側穴と後側穴に対応する位置にそれぞれ前側穴と後側穴が形成されたスカート本体を設け、第１の帯体をスカート本体の前側穴を経て腰回りに導出し、第２の帯体をスカート本体の後側穴を経て腹回りに導出し、第１の帯体を内側本体の股下部及び前面両側内面に縫合して固定すると共にスカート本体の背面外面に縫合部で固定し、第２の帯体を内側本体の股下部及び背面両側内面に縫合して固定すると共にスカート本体の前面外面に縫合部で固定する構成とすると好適である。
【００３３】
〔第４実施形態〕
第４実施形態の介護用着衣４００は、図８及び図９に示すように、片脚麻痺の要介護者用のズボンの介護用着衣４００であり、本体４１０と、本体４１０内に設けられる略８字状の帯体４２０と、本体４１０内に設けられる別の帯体４３０とを備える。ズボンの本体４１０は、腰部４１１と、股下部４１２と、股下部４１２から左右に分かれる脚通し部４１３とを有し、腰部４１１の両側の下部にはそれぞれ前側穴４１４と後側穴４１５とが形成されている。一方側の前側穴４１４と後側穴４１５との間のやや下側には中間穴４１６が形成され、計５箇所の穴が形成されている。前側穴４１４と後側穴４１５は縦方向に延びる略スリット状であり、中間穴４１６は横方向に延びる略スリット状である。
【００３４】
略８字状の帯体４２０は、略十字状の交差部分の重なり領域である重合部４２１が本体４１０の股下部４１２に於ける要介護者の背骨の真下付近に対応する位置に配置され、重合部４２１が股下部４１２に縫合して固定されている。重合部４２１の両側に位置する帯体４２０の輪状部分はそれぞれ前側穴４１４と後側穴４１５とに挿通され、前側穴４１４と後側穴４１５との間の腰部４１１の外側部分が把持部４２２となっており、把持部４２２は本体４１０の外側で若干余裕を有する程度の長さとされている。帯体４２０の重合部４２１と把持部４２２との間の部分は、腰部４１１の内面に沿って股下部４１２の高さで略水平方向に配設されており、前記沿った領域の略全体に亘って腰部４１１の内面に縫合して固定されている。帯体４２０の素材は第１実施形態の帯体１２０の素材と同様である。
【００３５】
別の帯体４３０は、一方の脚通し部４１３内に略Ｕ字状に吊り下げるようにして設けられ、外側と内側で上から脚通し部４１３の膝下程度の高さの縫い止まり４１７まで縫合して脚通し部４１３に固定されており、Ｄカン、バックル等の留め具である長さ調整具４３２で長さ調整可能になっている。別の帯体４３０は長さ調整具４３２に対して着脱可能であり、外した状態では先端に長さ調整具４３２がある帯体と無い帯体の２つの帯体となる。別の帯体４３０の一端は、中間穴４１６から外側に導出されて把持部４２２に巻き付けられ、把持部４２２に縫合して固定されており、その他端は股下部４１２の重合部４２１と他方の脚通し部４１３側の帯体４２０の下側になるように配置され、重合部４２１と前記上側の帯体４２０と共に本体４１０に縫合して固定されている。別の帯体４３０の吊り下げ部分の下端部は要介護者の脚支持部４３１となり、要介護者の足底を下から支持する。
【００３６】
上記ズボンの介護用着衣４００を使用する場合、要介護者の麻痺した方の脚を別の帯体４３０がある脚通し部４１３に挿通するようにして、介護用着衣４００を要介護者に予め着用してもらう。そして、介護者は把持部４２２を把持して要介護者の動作を補助する。この際、要介護者の麻痺した脚が別の帯体４３０の脚支持部４３１で下側から支持されるのでスムーズな補助が可能となる。更に、帯体４２０が略水平方向（横方向）に設けられていることから、要介護者の股下と足底にかかる力を股下部４１２と把持部４２２とにバランス良く分散し、要介護者の股下に過大な荷重が負荷されることを防止することができる。また、第１実施形態と同様の作用効果を得ることができる。
【００３７】
尚、第４実施形態の介護用着衣４００も、第１、第２実施形態の介護用着衣１００、２００と同様に、略輪状の補助帯１３０を両側の把持部４２２にそれぞれ懸け回した介護用具として用いることもできる。また、上記と同様の構成で中間穴４１６を他方側にも設け、別の帯体４３０を両方の脚通し部４１３にそれぞれ設けることにより、両脚麻痺用の介護用着衣とすることも可能である。
【００３８】
〔第５実施形態〕
第５実施形態の介護用具５００は、図１０及び図１１に示すように、布など柔らかい素材等で形成された平面視略長方形の着座部５１０と、着座部５１０の対向する位置の短辺にそれぞれ設けられている、布等の取っ手である第１の把持部５２１及び第２の把持部５２２と、着座部５１０の底面に沿って互いに交差するように設けられ、Ｄカン等の長さ調整具５４で留められている略環状の第１の支持帯５３１及び略環状の第２の支持帯５３２とを備える。
【００３９】
第１の把持部５２１と第２の把持部５２２の中には一連の別の帯体５２３が挿通されている。別の帯体５２３は着座部５１０の底面に沿って設けられており、着座部５１０の長辺近傍の前後２箇所で前記長辺と平行に配設され、前記配設部分の略全体に亘って着座部５１０の底面に縫合して固定されている。
【００４０】
第１の支持帯５３１は、第１の把持部５２１の一端近傍から第２の把持部５２２の他端近傍の方向に着座部５１０の底面に沿って設けられ、前記沿った領域の略全体に亘って着座部５１０の底面に縫合して固定されている。第２の支持帯５３２は、第１の把持部５２１の他端近傍から第２の把持部５２２の他端近傍の方向に着座部５１０の底面に沿って設けられ、前記沿った領域の略全体に亘って着座部５１０の底面に縫合して固定されている。第１の支持帯５３１と第２の支持帯５３２が交差して重なり合っている部分（重合部５３３）は着座部５１０の略中央に位置し、互いに縫合して固定されている。第１の支持帯５３１と第２の支持帯５３２には、長さ調整具５４の先に支持帯５３１、５３２の余剰部５５が設けられる。
【００４１】
上記第５実施形態の介護用具５００を使用する際には、要介護者が着座部５１０に座り、第１の支持帯５３１と第２の支持帯５３２が要介護者の前方と後方で交差するように配置する。そして、着座部５１０或いは要介護者の両側に介護者は位置し、一方の介護者は外側の肩に第１の支持帯５３１を懸け、他方の介護者は外側の肩に第２の支持帯５３２を懸け、各介護者は自分の側の把持部５３１、５３２を把持し、余剰部５５を持つ様にして着座部５１０或いは要介護者を持ち上げて移動する。介護用具５００を用いることにより、歩行の困難な要介護者を２人の介護者が両側から支持して移動する際に、高い安定性で迅速な移動を行うことが可能となる。特に本実施形態では、平行配置されている別の帯体５２３と、着座部５１０の略中央に重合部５３３を有する第１の支持帯５３１及び第２の支持帯５３２とで、要介護者を支持することになるので、前記効果は極めて顕著なものとなる。
【００４２】
尚、図１０の二点鎖線で示すように、着座部５１０の下側に布製等の着座部５１１を設け、着座部５１０と着座部５１１とで第１の支持帯５３１と第２の支持帯５３２とを挟持し、好適には着座部５１０と着座部５１１とに第１の支持帯５３１と第２の支持帯５３２を縫合して固定する構成とすると、着座部５１０と着座部５１１の双方に要介護者が座って使用することが可能となり、介護用具５００の表裏を気にせずに素早く使用することができる。
【産業上の利用可能性】
【００４３】
本発明は、例えば要介護者の介護に利用することができる。
【図面の簡単な説明】
【００４４】
【図１】第１実施形態の介護用着衣の正面図。
【図２】第１実施形態の介護用着衣の平面図。
【図３】第１実施形態の介護用着衣に補助帯を装着した状態を示す正面説明図。
【図４】第２実施形態の介護用着衣の正面図。
【図５】第２実施形態の介護用着衣の平面図。
【図６】第３実施形態の介護用着衣の正面図。
【図７】第３実施形態の介護用着衣の背面図。
【図８】第４実施形態の介護用着衣の正面図。
【図９】第４実施形態の介護用着衣の平面図。
【図１０】第５実施形態の介護用具の正面説明図。
【図１１】第５実施形態の介護用具の部分平面図。
【図１２】第１実施形態の介護用着衣と帯体を縫合していない介護用着衣との着用時間を示す図。
【符号の説明】
【００４５】
１００、２００、３００、４００…介護用着衣  １１０、３１０、４１０…本体  ２１０…内側本体  ２３０…スカート本体  １１１、２１１、２３１、３１１、４１１…腰部  １１２、２１２、３１２、４１２…股下部  １１３、２１３、３１３、４１３…脚通し部  １１４、２１４…脚通し穴  １１５、２１５、２３２、３１４、４１４…前側穴  １１６、２１６、２３３、３１５、４１５…後側穴  ４１６…中間穴  １２０、２２０、４２０…帯体  ３２０…第１の帯体  ３３０…第２の帯体  １２１、２２１、４２１、５３３…重合部  １２２、２２２、３２２、３３２、４２２…把持部  ３２１、３３１…縫合部  ３３３…バックル  １３０…補助帯  １３１…帯本体  １３２、４３２、５４…長さ調整具  １３３、５５…余剰部  ４３０、５２３…別の帯体  ４３１…脚支持部  ５００…介護用具  ５１０、５１１…着座部  ５２１…第１の把持部  ５２２…第２の把持部  ５３１…第１の支持帯  ５３２…第２の支持帯
【図１】
2009249781.tif 000003
【図２】
2009249781.tif 000004
【図３】
2009249781.tif 000005
【図４】
2009249781.tif 000006
【図５】
2009249781.tif 000007
【図６】
2009249781.tif 000008
【図７】
2009249781.tif 000009
【図８】
2009249781.tif 000010
【図９】
2009249781.tif 000011
【図１０】
2009249781.tif 000012
【図１１】
2009249781.tif 000013
【図１２】
2009249781.tif 000014